(57)【要約】【課題】  装置の大型化を抑制しつつ、かつ、給送ローラへの画像の転写を防ぐことができる両面記録装置を提供することを目的とする。【解決手段】プリンタ部１０４は、画像が記録された記録用紙を湾曲路１６０Ａへ戻すための反転搬送路１６２を有する。反転搬送路１６２は、記録部１３０の下流側から斜め下方に延びる傾斜路１６２Ａと、傾斜路１６２Ａの終端から略水平方向へ延びる直線路１６２Ｂとを有する。直線路１６２Ｂは、支持アーム１１８のアーム回動軸１２０と給紙ローラ１１６の間を通るように形成されている。【選択図】図３
2010228330.tif 000002
【特許請求の範囲】
【請求項１】
記録媒体を収容可能な収容部と、
収容された前記記録媒体を給送する給送ローラと、
前記給送ローラを回転可能に支持し、前記給送ローラと収容された前記記録媒体とが接離するように第１回動軸を中心に回動可能な支持アームと、
前記収容部の下流側に配置され、給送された前記記録媒体をガイドする給送ガイドと、
前記給送ガイドの下流側に配置され、ガイドされた前記記録媒体に画像を記録する記録部と、
前記記録部の下流側に配置され、画像が記録された前記記録媒体をスイッチバックさせて再給送するスイッチバック部と、
前記給送ローラと前記第１回動軸の間に配置され、再給送された前記記録媒体を前記記録部へガイドする再給送ガイドとを備えたことを特徴とする両面記録装置。
【請求項２】
前記給送ローラが、収容された前記記録媒体に接触する第1位置と、前記給送ローラが、前記再給送ガイドに設けられた貫通孔に嵌まることにより、前記再給送ガイドによりガイドされた前記記録媒体に接触する第２位置とに、前記支持アームを回動させる第１回動部と、
前記支持アームが前記第２位置にあるときに、前記再給送ガイドによりガイドされた前記記録媒体を前記給送ローラとにより挟持可能な位置に配置された従動ローラとをさらに備える請求項１に記載の両面記録装置。
【請求項３】
前記支持アームに配置され、一端が駆動力源に連結され、他端が前記給送ローラに連結されることにより、前記駆動力源の駆動力を前記給送ローラに伝達して前記給送をするギア列とをさらに備え、
前記第１回動部は、前記駆動力源である請求項２に記載の両面記録装置。
【請求項４】
前記収容部が挿抜可能に内部に配置された筐体と、
前記収容部が前記筐体から挿抜される際に、前記給送ローラが前記収容部の前記挿抜の際の移動領域から退避する第３位置に、前記支持アームを回動させる第２回動部とをさらに備え、
前記再給送ガイドの前記貫通孔を含む一部は、第２回動軸を中心に回動可能であり、
前記従動ローラを回転可能に支持する支持ホルダは、第３回動軸を中心に回動可能である請求項２または３に記載の両面記録装置。
【請求項５】
前記収容部は、記録媒体を載置する載置部と、前記挿抜方向に直交する方向に関して前記載置部よりも外側に配置され、前記第２位置にある前記支持アームが嵌まる凹部が設けられた側壁とを有し、
前記第２回動部は、前記凹部を構成する壁である請求項４に記載の両面記録装置。
【請求項６】
前記支持アームは、前記再給送ガイドにおける記録媒体の搬送方向に直交する方向に関して前記再給送ガイドよりも外側に配置される請求項１乃至５に記載の両面記録装置。
【発明の詳細な説明】
【技術分野】
【０００１】
本発明は、記録媒体の両面に画像を記録する両面記録装置に関するものである。
【背景技術】
【０００２】
従来、図６に示す特許文献１の両面記録装置は、用紙トレイ１と、給送ローラ２と、給送ガイド３と、記録部４と、画像が記録された用紙をスイッチバックさせて再給送するスイッチバックローラ対５が順次配置されている。また、給送ローラ２は、回動軸６を中心に回動する支持アーム７により支持されている。そして、スイッチバックローラ対５によりスイッチバックされた用紙を記録部４へ再給送する再給送経路は、記録部４と回動軸６との間に設定されており、再給送ガイド８が配置されている。
【０００３】
一方、図７に示す特許文献２の両面記録装置は、用紙トレイ１１と、給送ローラ１２と、給送ガイド１３と、記録部１４と、画像が記録された用紙をスイッチバックさせて再給送するスイッチバックローラ対１５が順次配置されている。また、給送ローラ１２は、回動軸１６を中心に回動する支持アーム１７により支持されている。そして、スイッチバックローラ対１５によりスイッチバックされた用紙を記録部１４へ再給送する再給送経路は、用紙トレイ１１と給送ローラ１２との間に設定されている。
【先行技術文献】
【特許文献】
【０００４】
【特許文献１】特開２００２−３６２７６６号公報
【特許文献２】特開２００７−１４５５７４号公報
【発明の概要】
【発明が解決しようとする課題】
【０００５】
しかしながら、上記特許文献１のように、記録部４と回動軸６との間に再給送ガイド８を配置すると、その分、記録部４の位置を上げなければならず、装置の全高寸法が大きくなってしまうという問題があった。
【０００６】
一方、上記特許文献２のように、用紙トレイ１１と給送ローラ１２との間に再給送経路を設定すると、記録部１４の位置を上げる必要がなく、装置の全高寸法を小さくすることができる。しかし、給送ローラ１２による再給送の際、用紙の画像が記録された面に給送ローラ１２が当接するため、給送ローラ１２に画像が転写されて、給送ローラ１２が汚れるという問題があった。
【０００７】
本発明は、上記課題を解決すべくなされたものであり、装置の大型化を抑制しつつ、かつ、給送ローラへの画像の転写を防ぐことができる両面記録装置を提供することを目的とする。
【課題を解決するための手段】
【０００８】
（１）記録媒体を収容可能な収容部と、収容された前記記録媒体を給送する給送ローラと、前記給送ローラを回転可能に支持し、前記給送ローラと収容された前記記録媒体とが接離するように第１回動軸を中心に回動可能な支持アームと、前記収容部の下流側に配置され、給送された前記記録媒体をガイドする給送ガイドと、前記給送ガイドの下流側に配置され、ガイドされた前記記録媒体に画像を記録する記録部と、前記記録部の下流側に配置され、画像が記録された前記記録媒体をスイッチバックさせて再給送するスイッチバック部と、前記給送ローラと前記第１回動軸の間に配置され、再給送された前記記録媒体を前記記録部へガイドする再給送ガイドとを備えている。
【０００９】
この構成により、再給送ガイドを、給送ローラと支持アームの第１回動軸との間に配置したため、装置の大型化を抑制しつつ、かつ、給送ローラへの画像の転写を防ぐことができる。
【００１０】
（２）前記給送ローラが、収容された前記記録媒体に接触する第1位置と、前記給送ローラが、前記再給送ガイドに設けられた貫通孔に嵌まることにより、前記再給送ガイドによりガイドされた前記記録媒体に接触する第２位置とに、前記支持アームを回動させる第１回動部と、前記支持アームが前記第２位置にあるときに、前記再給送ガイドによりガイドされた前記記録媒体を前記給送ローラとにより挟持可能な位置に配置された従動ローラとをさらに備えることが好ましい。
【００１１】
この構成により、スイッチバックされた記録媒体が再給送ガイド上をガイドされる際、給送ローラと従動ローラは記録媒体を挟持するため、給送ローラの回転によって給送することが可能となる。このため、給送方向に長さの短い記録媒体であっても記録部へ給送することができる。
【００１２】
（３）前記支持アームに配置され、一端が駆動力源に連結され、他端が前記給送ローラに連結されることにより、前記駆動力源の駆動力を前記給送ローラに伝達して前記給送をするギア列とをさらに備え、前記第１回動部は、前記駆動力源であることが好ましい。
【００１３】
この構成により、支持アームは、給送ローラを駆動するための駆動力源の駆動力がギア列に伝達されることにより回動する。このため、支持アームを第１位置及び第２位置に移動させるための駆動力源を別に設ける必要がない。
【００１４】
（４）前記収容部が挿抜可能に内部に配置された筐体と、前記収容部が前記筐体から挿抜される際に、前記給送ローラが前記収容部の前記挿抜の際の移動領域から退避する第３位置に、前記支持アームを回動させる第２回動部とをさらに備え、前記再給送ガイドの前記貫通孔を含む一部は、第２回動軸を中心に回動可能であり、前記従動ローラを回転可能に支持する支持ホルダは、第３回動軸を中心に回動可能であることが好ましい。
【００１５】
この構成により、収容部が筐体から挿抜される際に、給送ローラが収容部の挿抜の際の移動領域から退避するため、収容部と給送ローラとが衝突して破損することを防ぐことができる。また、再給送ガイドの貫通孔を含む一部及び支持ホルダは、それぞれ第２回動軸及び第３回動軸を中心に回動可能であるため、給送ローラが退避する空間を確保することができる。
【００１６】
（５）前記収容部は、記録媒体を載置する載置部と、前記挿抜方向に直交する方向に関して前記載置部よりも外側に配置され、前記第２位置にある前記支持アームが嵌まる凹部が設けられた側壁とを有し、前記第２回動部は、前記凹部を構成する壁であることが好ましい。
【００１７】
この構成により、収容部が筐体から挿抜される際に、支持アームを第３位置に移動させるための駆動力源を別に設ける必要がない。
【００１８】
（６）前記支持アームは、前記再給送ガイドにおける記録媒体の搬送方向に直交する方向に関して前記再給送ガイドよりも外側に配置されることが好ましい。
【発明の効果】
【００１９】
本発明の両面記録装置によれば、装置の大型化を抑制しつつ、かつ、給送ローラへの画像の転写を防ぐことができる。
【図面の簡単な説明】
【００２０】
【図１】本発明の実施形態に係る複合機１００の外観斜視図
【図２】本発明の実施形態に係るプリンタ部１０４の内部構造の斜視図
【図３】支持アーム１１８が第１位置にある場合のプリンタ部１０４の内部構造の概略側面図
【図４】支持アーム１１８が第２位置にある場合のプリンタ部１０４の内部構造の概略側面図
【図５】支持アーム１１８が第３位置にある場合のプリンタ部１０４の内部構造の概略側面図
【図６】従来の両面記録装置の概略側面図
【図７】従来の両面記録装置の概略側面図
【発明を実施するための形態】
【００２１】
以下、適宜図面を参照して、本発明の好ましい実施形態について説明する。
【実施形態】
【００２２】
図１は、本発明の一実施形態である複合機１００の外観斜視図である。なお、以下の説明においては、複合機１００が使用可能に設置された図１の状態を基準として上下方向９４を定義し、操作パネル１０２が設けられている側を前側として前後方向９６を定義し、複合機１００を前側から見て左右方向９８を定義する。
【００２３】
複合機１００は、上下方向よりも、左右方向及び前後方向の方が長い概ね直方体である。複合機１００は、プリンタ部１０４を下部に、スキャナ部１０６を上部に、操作パネル１０２を前側上部に備える。
【００２４】
図３に示すように、プリンタ部１０４は、記録部１３０と、用紙カセット１１０と、給紙部１１４と、主搬送部１５８と、反転搬送部１６１と、スイッチバック部１４０を有する。
【００２５】
［記録部１３０］
記録部１３０はプリンタ部１０４における上部に配置され、給紙部１１４によって給紙された記録用紙にインク滴を吐出して記録用紙に画像を記録する。記録部１３０は、記録ヘッド２０６と、キャリッジ２０５を有する。
【００２６】
記録ヘッド２０６は、インクカートリッジ（不図示）から供給されたインクを微小なインク滴として吐出する。これにより、記録用紙に画像が記録される。
【００２７】
キャリッジ２０５は、記録ヘッド２０６を支持する。また、キャリッジ２０５は、左右方向（紙面垂直方向）に延出されたガイドレール（不図示）に支持され、ガイドレールに沿って左右方向に往復動可能である。
【００２８】
［用紙カセット１１０］
図１に示すように、用紙カセット１１０は、プリンタ部１０４の底側に配置され、各種サイズの記録用紙が収容可能である。用紙カセット１１０は、プリンタ部１０４に開口１０８から前後方向に挿抜可能である。なお、用紙カセット１１０は、プリンタ部１０４のフレーム（不図示）などに固定されていてもよい。
【００２９】
図２に示すように、用紙カセット１１０は、上面が開放された概ね矩形箱状であり、底板１１０Ａと、後板１１０Ｂと、側板１１０Ｃ、１１０Ｄと、分離傾斜板（不図示）と、排紙保持部１１２（図３参照）を有する。
【００３０】
底板１１０Ａは、用紙カセット１１０の下部に配置された長方形の板である。底板１１０Ａには、記録用紙が載置される。なお、底板１１０Ａは、記録用紙が載置可能であれば、長方形に限られない。
【００３１】
後板１１０Ｂは、底板１１０Ａの後端に、底板１１０Ａの右端から左端に渡って立設された板である。後板１１０Ｂは、用紙カセット１１０をプリンタ部１０４に挿入する際に、後述の支持アーム１１８の側端部１１８Ｂに当接し、支持アーム１１８を押し上げる。
【００３２】
側板１１０Ｃ、１１０Ｄは、底板１１０Ａの左右方向の両端部に、底板１１０Ａの前端から後端に渡って立設される板である。側板１１０Ｃ、１１０Ｄは、後方側に凹部１１１を備えている。凹部１１１は、下り傾斜部１１１Ａと、上り傾斜部１１１Ｂと底部１１１Ｃからなる。下り傾斜部１１１Ａは、用紙カセット１１０の挿入向き１５９（図５参照）に対して下り傾斜状であり、後述の第１位置にある支持アーム１１８の側端部１１８Ｂに当接しない。上り傾斜部１１１Ｂは、用紙カセット１１０の挿入向き１５９に対して上り傾斜状であり、用紙カセット１１０を抜き出す際に、支持アーム１１８の先端部１１８Ａに当接し、支持アーム１１８を押し上げる。
【００３３】
分離傾斜板は、底板１１０Ａの後方側に配置され、最上位の記録用紙を分離する。分離傾斜板の内面には複数の歯が突出している。給紙された記録用紙の先端が分離傾斜板の内面に当接した際に、仮に複数の記録用紙が重なっていても、上記歯によって最上位の記録用紙だけが分離されて記録部１３０へ給紙される。
【００３４】
図１に示すように、排紙保持部１１２は、用紙カセット１１０の前方側の上方に配置され、その上面で排出された記録済みの記録用紙を保持する。排紙保持部１１２は、用紙カセット１１０と一体に構成され、用紙カセット１１０とともにプリンタ部１０４に対して挿抜可能である。なお、排紙保持部１１２は、用紙カセット１１０と別体に構成され、プリンタ部１０４のフレームなどに固定されていてもよい。
【００３５】
［給紙部１１４］
図２、３に示すように、給紙部１１４は、用紙カセット１１０の上方に配置され、収容された記録用紙を給紙する。給紙部１１４は、４つの給紙ローラ１１６と、２本の支持アーム１１８と、給紙用モータ（不図示）と、第１駆動伝達機構１２２を有する。
【００３６】
給紙ローラ１１６は、支持アーム１１８に回転可能に支持され、記録用紙を湾曲ガイド１６４へ給紙する。給紙ローラ１１６は、４つ共に形状が同じであり、左右方向に延出した１本の回転軸１１７上に並ぶように固定配置される。なお、給紙ローラ１１６は、１つ以上であればよく、複数個の場合には、回転軸１１７方向の長さが異なってもよい。
【００３７】
支持アーム１１８は、平板状の棒であり、アーム回動軸１２０を中心に回動し、先端で給紙ローラ１１６を回転可能に支持する。支持アーム１１８は、後述の直線ガイド１７２と回動ガイド１７８の左右方向における両端よりも外側に配置され、１本は左側の外側であり、他の１本は右側の外側である。支持アーム１１８は、給紙ローラ１１６の回転軸１１７の両端を軸支する。なお、支持アーム１１８を１本として、給紙ローラ１１６の回転軸１１７の片端のみを軸支する構成でもよい。
【００３８】
アーム回動軸１２０は、支持アーム１１８の基端部に配置され、支持アーム１１８を回動可能に支持する回動中心軸である。アーム回動軸１２０は、プラテン２０４の下方であり、後述の直線ガイド１７２の上方、かつ、第１搬送ローラ対１８３と第２搬送ローラ対１８７の間であり、両ローラ対１８３、１８７の中央より第２搬送ローラ対１８７側に位置する。アーム回動軸１２０により、支持アーム１１８は、第１位置（図３に示す位置）と、第２位置（図４に示す位置）と、第３位置（図５に示す位置）に回動可能である。アーム回動軸１２０と支持アーム１１８の間には、第１バネ（不図示）が備えられており、支持アーム１１８を、図４の矢印１２４の向きへ付勢する。
【００３９】
給紙用モータは、給紙ローラ１１６を回転させる駆動力源であり、プリンタ部１０４のフレームに固定される。給紙用モータは、正逆方向のいずれにも回転可能である。
【００４０】
第１駆動伝達機構１２２は、支持アーム１１８の延出方向に概ね直線状に並ぶ複数のギアで構成され、各ギアは、支持アーム１１８に軸支される。第１駆動伝達機構１２２は、給紙用モータの駆動力を、給紙ローラ１１６に伝達し、給紙ローラ１１６を回転させる。第１駆動伝達機構１２２は、給紙用モータの正方向の回転により、給紙ローラ１１６を図３の矢印２１６の向きに回転させる。一方、給紙用モータの逆方向の回転により、給紙ローラ１１６を図４の矢印２１８の向きに回転させる。給紙用モータは本発明における第１回動部の一例である。
【００４１】
支持アーム１１８の第１位置（図３に示す位置）は、給紙ローラ１１６を、用紙カセット１１０に収容された記録用紙に圧接させる位置である。支持アーム１１８が第１位置にあるとき、給紙ローラ１１６は、収容された記録用紙を給紙可能である。給紙用モータの駆動力は、第１駆動伝達機構１２２を構成するギアに伝達され、ギアのトルクにより支持アーム１１８に対する回動駆動力が発生する。支持アーム１１８は、給紙用モータの正方向の回転により第２位置から第１位置に回動する。
【００４２】
支持アーム１１８の第２位置（図４に示す位置）は、給紙ローラ１１６を、後述の従動ローラ１９６に圧接させる位置である。支持アーム１１８が第２位置にあるとき、給紙ローラ１１６は、反転搬送路１６２を搬送される記録用紙を再給紙可能である。支持アーム１１８は、用紙カセット１１０から記録用紙を給紙させる前の給紙待機状態で第２位置に配置される。なお、給紙ローラ１１６は、上記再給紙の際、記録用紙の記録面に当接しないため、給紙ローラ１１６に画像が転写されるのを防ぐことができる。
【００４３】
支持アーム１１８の第３位置（図５に示す位置）は、給紙ローラ１１６を、用紙カセット１１０の挿抜領域から退避させる位置である。支持アーム１１８が第３位置にあるとき、給紙ローラ１１６は、用紙カセット１１０の挿抜領域から退避している。支持アーム１１８は、用紙カセット１１０をプリンタ部１０４から抜き出す際に、上り傾斜部１１１Ｂによりその先端部１１８Ａが押圧される。また、用紙カセット１１０をプリンタ部１０４に挿入する際に、後板１１０Ｂによりその側端部１１８Ｂが押圧される。これらの押圧により、支持アーム１１８は、押し上げられるように回動する。
【００４４】
［主搬送部１５８］
図３に示すように、主搬送部１５８は、用紙カセット１１０の後方側端部から排紙保持部１１２の後方側端部に渡って配置され、給紙部１１４により用紙カセット１１０から給紙された記録用紙を、記録部１３０の下方を経由して搬送する。主搬送部１５８は、主搬送路１６０と、第１搬送ローラ対１８３と、第２搬送ローラ対１８７と、スイッチバックローラ対１９１を有する。
【００４５】
主搬送路１６０は、主搬送部１５８における記録用紙の通路である。主搬送路１６０は、湾曲路１６０Ａと、記録路１６０Ｃと、排紙路１６０Ｂに区別される。
【００４６】
湾曲路１６０Ａは、用紙カセット１１０の分離傾斜板の上端付近から記録部１３０の記録用紙の搬送方向における上流側（以下、単に「上流側」と略称する。）に渡って延設された湾曲状の通路である。湾曲路１６０Ａは、湾曲ガイド１６４を有する。湾曲ガイド１６４は、プリンタ部１０４の内部側を中心とする概ね円弧状のガイド面１６４Ａを有しており、記録用紙はガイド面１６４Ａに沿うように搬送される。湾曲ガイド１６４は、左右方向に延出されている。
【００４７】
記録路１６０Ｃは、記録部１３０の上流側から下流側に渡って延設された直線状の通路である。記録路１６０Ｃは、プラテン２０４を有する。プラテン２０４は、記録部１３０の下方に配置され、記録部１３０によって画像が記録される際に、記録用紙を水平に支持する。プラテン２０４は、前後方向及び左右方向に延出されている。
【００４８】
排紙路１６０Ｂは、記録部１３０の下流側から排紙保持部１１２の上流側に渡って延設された直線状の通路である。排紙路１６０Ｂは、下側ガイド１６６を有する。下側ガイド１６６は、第２搬送ローラ対１８７の下流側に配置され、その上面で記録用紙を支持する。下側ガイド１６６の上面は、後述の補助ローラ２１０が没入可能な凹部（不図示）を有する。下側ガイド１６６は、前後方向及び左右方向に延出されている。
【００４９】
第１搬送ローラ対１８３は、湾曲ガイド１６４の下流側終端と記録部１３０の間に配置され、湾曲路１６０Ａを搬送された記録用紙を挟持してプラテン２０４上へ搬送する。第１搬送ローラ対１８３は、第１搬送ローラ１８０とピンチローラ１８２を有する。ピンチローラ１８２は、第１搬送ローラ１８０の下方に配置され、第２バネ（不図示）によって第１搬送ローラ１８０のローラ面に圧接される。
【００５０】
第２搬送ローラ対１８７は、記録部１３０と後述の下側ガイド１６６の間に配置され、記録路１６０Ｃを搬送された記録用紙を挟持して下側ガイド１６６上へ搬送する。第２搬送ローラ対１８７は、第２搬送ローラ１８４と拍車ローラ１８６を有する。拍車ローラ１８６は、第２搬送ローラ１８４の上方に配置され、自重もしくは第３バネ（不図示）によって第２搬送ローラ１８４のローラ面に圧接される。
【００５１】
第１搬送ローラ１８０及び第２搬送ローラ１８４の駆動力源は、第１搬送用モータ（不図示）である。第１搬送用モータの駆動力は、第２駆動伝達機構（不図示）を構成するギアを介して第１搬送ローラ１８０及び第２搬送ローラ１８４に伝達される。第２駆動伝達機構は、第１搬送用モータが正方向に回転した際に、記録用紙を下流側に搬送するように、第１搬送ローラ１８０及び第２搬送ローラ１８４を回転させる。
【００５２】
スイッチバックローラ対１９１は、下側ガイド１６６と排紙保持部１１２の間に配置され、搬送路１６０Ｂを搬送された記録用紙を挟持して排紙保持部１１２上または後述の反転搬送路１６２へ搬送する。スイッチバックローラ対１９１は、スイッチバックローラ１８８と拍車ローラ１９０を有する。拍車ローラ１９０は、スイッチバックローラ１８８の上方に配置され、自重もしくは第４バネ（不図示）によってスイッチバックローラ１８８のローラ面に圧接される。
【００５３】
スイッチバックローラ１８８の駆動力源は、第２搬送用モータ（不図示）である。第２搬送用モータの駆動力は、第３駆動伝達機構（不図示）を構成するギアを介してスイッチバックローラ１８８に伝達される。第３駆動伝達機構は、第２搬送用モータの正方向の回転により、記録用紙を下流側に搬送する方向にスイッチバックローラ１８８を回転させる。一方、第２搬送用モータの逆方向の回転により、記録用紙を上流側に搬送する方向にスイッチバックローラ１８８を回転させる。なお、第１搬送用モータと第２搬送用モータは、一つの同じモータでもよい。
【００５４】
［反転搬送部１６１］
図４に示すように、反転搬送部１６１は、スイッチバックローラ１８８の上流側から湾曲ガイド１６４の下方側端部に渡って配置され、画像が記録されてスイッチバックローラ対１９１に挟持された記録用紙を、主搬送路１６０に向けて搬送する。反転搬送部１６１は、反転搬送路１６２と、スイッチバックローラ対１９１と、４つの給紙ローラ１１６と、４つの従動ローラ１９６を有する。
【００５５】
反転搬送路１６２は、反転搬送部１６１における記録用紙の通路である。反転搬送路１６２は、分岐口１９２と、傾斜路１６２Ａと、直線路１６２Ｂに区別される。
【００５６】
分岐口１９２は、下側ガイド１６６とスイッチバックローラ対１９１の間に位置し、反転搬送路１６２の始端である。スイッチバックローラ対１９１によりスイッチバックされた記録用紙は、分岐口１９２を通過して反転搬送路１６２へ搬送される。
【００５７】
傾斜路１６２Ａは、スイッチバックローラ対１９１の上流側から後方斜め下向きに延設された直線状の通路である。傾斜路１６２Ａは、上側傾斜ガイド１６８と、下側傾斜ガイド１７０を有する。上側傾斜ガイド１６８及び下側傾斜ガイド１７０は、所定間隔を隔てて互いに対向して配置され、記録用紙が通過可能である。上側傾斜ガイド１６８は、下側ガイド１６６の下流側端部から後方斜め下向きに延設され、その下面で記録用紙をガイドする。上側傾斜ガイド１６８は、下側ガイド１６６と一体である。下側傾斜ガイド１７０は、スイッチバックローラ対１９１の上流側から後方斜め下向きに延設され、その上面で記録用紙を支持する。上側傾斜ガイド１６８及び下側傾斜ガイド１７０は、左右方向に延出されている。
【００５８】
直線路１６２Ｂは、給紙ローラ１１６の上方、かつ、アーム回動軸１２０の下方に配置され、下側傾斜ガイド１７０の下流側端部付近から湾曲ガイド１６４の下方側端部付近に渡って延設された直線状の通路である。直線路１６２Ｂは、直線ガイド１７２と、回動ガイド１７８を有する。
【００５９】
直線ガイド１７２は、直線路１６２Ｂの上流側に配置され、その上面において記録用紙を支持する。直線ガイド１７２は、前後方向及び左右方向に延出されている。直線ガイド１７２は、下側傾斜ガイド１７０と一体である。なお、下側傾斜ガイド１７０と別の部材であってもよい。
【００６０】
回動ガイド１７８は、直線ガイド１７２の下流側端部付近から湾曲ガイド１６４の下方側端部付近に渡って配置され、その上面で記録用紙を支持する。回動ガイド１７８は、前後方向及び左右方向に延出されている。回動ガイド１７８は、貫通孔１７４（図２参照）と、ガイド回動軸１７６（図３参照）を有する。
【００６１】
貫通孔１７４は、図２に示すように、４つの同じ四角形の孔であり、回動ガイド１７８の下流側に左右方向に直線状に並べて配置される。貫通孔１７４は、支持アーム１１８が第２位置にある場合に、給紙ローラ１１６が嵌まる。これにより、給紙ローラ１１６は、回動ガイド１７８の上面に露出され、回動ガイド１７８上に位置する記録用紙に当接可能となる。なお、貫通孔１７８は、給紙ローラ１１６が嵌まればどんな形状でもよい。また、直線ガイド１７２と回動ガイド１７８の左右方向における両端よりも外側には、支持アーム１１８が配置される。
【００６２】
ガイド回動軸１７６（図３参照）は、回動ガイド１７８の上流側に配置され、回動ガイド１７８を回動可能に支持する回動中心軸である。このため、回動ガイド１７８は、図３に示す位置と、図５に示す位置に回動可能である。ガイド回動軸１７６と回動ガイド１７８の間には、第５バネ（不図示）が備えられており、回動ガイド１７８を、下向きへ付勢する。
【００６３】
図４に示す回動ガイド１７８の回動位置は、直線ガイド１７２を搬送された記録用紙を湾曲ガイド１６４に搬送させる回動位置である。回動ガイド１７８が図４に示す位置にあるとき、回動ガイド１７８は、直線路１６２Ｂの一部を構成する。
【００６４】
図５に示す回動ガイド１７８の回動位置は、支持アーム１１８を第３位置に退避可能にする回動位置である。回動ガイド１７８は、支持アーム１１８が第３位置に回動する際に、給紙ローラ１１６の回転軸１１７により貫通孔１７４の側端部１７４Ａ（図２参照）が押圧される。これにより、回動ガイド１７８は、押し上げられるように回動する。
【００６５】
図２に示すように、従動ローラ１９６は、貫通孔１７４の上方に配置され、支持アーム１１８が第２位置にある場合に、給紙ローラ１１６と記録用紙を挟持して搬送する。従動ローラ１９６は、４つ共に形状が同じであり、左右方向に延出した１本の回転軸上に並ぶように固定配置される。なお、従動ローラ１９６は、給紙ローラ１１６と対をなせば幾つであってもよい。
【００６６】
図４に示すように、支持ホルダ１９８は、回動ガイド１７８の上方に位置しており、ホルダ回動軸２００を中心に回動し、先端で従動ローラ１９６を回転可能に支持する。支持ホルダ２００は、左右方向に延出されている。
【００６７】
ホルダ回動軸２００は、支持ホルダ１９８の基端部に配置され、支持ホルダ１９８を回動可能に支持する回動中心軸である。このため、支持ホルダ１９８は、図４に示す位置と、図５に示す位置に回動可能である。ホルダ回動軸２００と支持ホルダ１９８の間には、第６バネ（不図示）が備えられており、支持ホルダ１９８を、図４の矢印２０２の向きへ付勢する。第６バネの付勢力は、支持アーム１１８の第２位置への付勢力と略等しく、さらに、支持アーム１１８に、給紙ローラ１１６の逆方向の回転による回動駆動力が加わったとしても略等しくなるように設定されている。これにより、支持ホルダ１９８は、図４に示す位置を維持可能である。
【００６８】
図４に示す支持ホルダ１９８の回動位置は、支持アーム１１８が第２位置にある場合に、給紙ローラ１１６に従動ローラ１９６を圧接させる回動位置である。支持ホルダ１９８が図４に示す位置にある場合に、従動ローラ１９６は、給紙ローラ１１６と記録用紙を挟持して湾曲ガイド１６４に搬送する。
【００６９】
図５に示す支持ホルダ１９８の回動位置は、支持アーム１１８を第３位置に退避可能にする回動位置である。従動ローラ１９６は、支持アーム１１８が第３位置に回動する際に、給紙ローラ１１６により押圧される。これにより、支持ホルダ１９８は、押し上げられるように図５に示す位置に回動する。
【００７０】
［スイッチバック部１４０］
スイッチバック切換部１４０は、第２搬送ローラ対１８７と排紙保持部１１２の間に配置され、記録用紙をスイッチバックさせる。スイッチバック部１４０は、スイッチバックローラ対１９１と、フラッパ２１２と、シートセンサ（不図示）を有する。
【００７１】
フラッパ２１２は、分岐口１９２の上方に配置され、排紙路１６０Ｂの一部または傾斜路１６２Ａの一部を構成する。フラッパ２１２は、フラッパ回動軸２１４と、補助ローラ２０８、２１０を有する。フラッパ２１２は、フラッパ回動軸２１４の下流側に延出されるとともに、左右方向に延出されている。画像が記録された記録用紙は、フラッパ２１２の下方を通過してスイッチバックローラ対１９１へ搬送される。スイッチバックされた記録用紙は、フラッパ２１２の下方を通過して反転搬送路１６２へ搬送される。
【００７２】
フラッパ回動軸２１４は、下側ガイド１６６の上方であり、かつ、上流側のフレームに配置され、フラッパ２１２を回動可能に支持する回動中心軸である。このため、フラッパ２１２は、フラッパ回動軸２１４により排出位置（不図示）と、図３に示す反転位置に回動可能である。
【００７３】
フラッパ２１２の排出位置は、画像が記録された記録用紙を排紙保持部１１２に搬送させる回動位置である。フラッパ２１２の延出端部２１２Ｂは、排出位置にあるとき、分岐口１９２の中央部１９２Ａと拍車ローラ１９０の間であり、かつ、下側ガイド１６６よりも上方に位置する。また、フラッパ２１２の基端部２１２Ａと延出端部２１２Ｂを結ぶ仮想直線は、拍車ローラ１８６と拍車ローラ１９０を結ぶ仮想直線に沿うように配置される。
【００７４】
フラッパ２１２の反転位置は、画像が記録された記録用紙を反転搬送路１６２に搬送させる回動位置である。フラッパ２１２の延出端部２１２Ｂは、反転位置にあるとき、分岐口１９２の中央部１９２Ａと拍車ローラ１９０の間であり、かつ、下側ガイド１６６よりも下方に位置する。
【００７５】
補助ローラ２０８はフラッパ２１２の基端部２１２Ａ側に、補助ローラ２１０は延出端部２１２Ｂ側に回転可能に支持される。補助ローラ２０８及び２１０のローラ面は拍車状である。補助ローラ２１０は、フラッパ２１２が上記反転位置にあるとき、下側傾斜ガイド１７０に当接する。一方、補助ローラ２０８は、下側ガイド１６６の凹部に没入し、下側ガイド１６６の支持面１６６Ｂよりも下方に配置される。
【００７６】
シートセンサは、下側ガイド１６６と上側傾斜ガイド１６８の間に配置され、記録用紙の有無を検知する。シートセンサは、検出子を有する回転体と、発光素子（例えば、発光ダイオード）及びこの発光素子から発光された光を受光する受光素子（例えば、フォトトランジスタ）を有するフォトインタラプタを備える。回転体は、第１検出子（不図示）と、第２検出子（不図示）を有する。第１検出子は、下側ガイド１６６の上面から突出するように配置され、排紙路１６０Ｂを搬送される記録用紙の後端を検知可能である。第２検出子は、上側傾斜ガイド１６８の下面から突出するように配置され、傾斜路１６２Ａを搬送される記録用紙の先端を検知可能である。
【００７７】
なお、スイッチバック部１４０は、画像が記録された記録用紙を反転搬送路１６２へ搬送可能であれば、上記構成に限られない。例えば、画像が記録された記録用紙を排紙保持部１１２などに一旦載置した後、再び給紙する再給紙ローラを備えていてもよい。
【００７８】
［両面記録動作］
以下、図３及び図４を参照して、プリンタ部１０４における両面記録動作について説明する。
【００７９】
複合機１００に対して両面記録の指示が入力されると、プリンタ部１０４に備えられた給紙用モータは正方向に回転する。給紙用モータの回転駆動力は、第１駆動伝達機構１２２を介して、給紙ローラ１１６に伝達される。これにより、給紙ローラ１１６は矢印２１６の向きに回転し、支持アーム１１８は、第２位置から第１位置に回動する。そして、給紙ローラ１１６は、用紙カセット１１０に収容された記録用紙を湾曲路１６０Ａへ給紙する。
【００８０】
給紙された記録用紙は、湾曲ガイド１６４のガイド面１６４Ａに沿って下方から上方へＵターンするように搬送される。
【００８１】
記録用紙が第１搬送ローラ対１８３に到達すると、給紙用モータの回転が停止し、給紙ローラ１１６の回転が停止する。給紙用モータの回転が停止されると、支持アーム１１８に対する回動駆動力が発生しなくなり、支持アーム１１８は第１バネの付勢力により、第１位置から第２位置に回動する。
【００８２】
その後、記録用紙は、第１搬送ローラ対１８３により記録路１６０Ｃに向けプラテン２０４上へ搬送される。プラテン２０４上に搬送された記録用紙のおもて面には、記録部１３０により記録が行われる。
【００８３】
おもて面に画像が記録された記録用紙は、第２搬送ローラ対１８７により排紙路１６０Ｂに搬送される。記録用紙が補助ローラ２０８に衝突すると、フラッパ２１２は、反転位置から排出位置に回動する。そして、記録用紙は、スイッチバックローラ対１９１により、さらに下流側に搬送される。
【００８４】
排紙路１６０Ｂを搬送される記録用紙は、その後端が第１検出子により検知される。第１検出子が記録用紙の後端が通過したことを検知すると、複合機１００の制御部は、記録用紙の後端が下側ガイド１６６と補助ローラ２１０の間で停止するように、スイッチバックローラ対１９１の回転を停止する。なお、片面記録の場合、記録用紙は停止されず、スイッチバックローラ対１９１により排紙保持部１１２へ搬送される。
【００８５】
記録用紙の後端が下側ガイド１６６と補助ローラ２１０の間で停止すると、フラッパ２１２は、排出位置から反転位置に回動する。これにより、記録用紙の後端は、分岐口１９２に進入する。
【００８６】
続いて、第２搬送用モータが逆方向に回転することにより、スイッチバックローラ１８８が逆方向に回転する。これにより、記録用紙の後端側がスイッチバックローラ対１９１に挟持された状態で搬送方向が切り換えられ、記録用紙は反転搬送路１６２に搬送される。
【００８７】
傾斜路１６２Ａを搬送される記録用紙は、その先端が第２検出子により検知される。第２検出子が記録用紙の先端が通過したことを検知すると、複合機１００の制御部は、給紙用モータを逆方向に回転する。これにより、給紙ローラ１１６が矢印２１８の向きへ回転する。このとき、支持アーム１１８は第２位置にあり、給紙ローラ１１６は従動ローラ１９６に圧接されている。
【００８８】
第２検出子を通過した記録用紙は、直線路１６２Ｂへ搬送される。その後、記録用紙は、給紙ローラ１１６と従動ローラ１９６によりさらに下流側に搬送され、湾曲路１６０Ａへ再給紙される。
【００８９】
記録用紙が、湾曲路１６０Ａから再度記録路１６０Ｃに搬送されると、記録部１３０によって裏面に画像が記録される。両面に画像が記録された記録用紙は、排紙路１６０Ｂに搬送された後、再び正方向に回転されたスイッチバックローラ１８８によって排紙保持部１１２へ排出される。
【００９０】
［本実施形態の効果］
上述したように、本実施形態では、直線路１６２Ｂが、給紙ローラ１１６とアーム回動部１２０との間に配置されている。このため、装置の全高寸法を小さくすることができ、かつ、記録用紙の画像が記録された面が給紙ローラ１１６へ当接しないため、給紙ローラ１１６への画像の転写を防ぐことができる。また、反転搬送路１６２に沿って搬送された記録用紙は、給紙ローラ１１６の逆回転により、給紙ローラ１１６及び従動ローラ１９６により挟持されつつ、湾曲路１６０Ａへ向けて再給紙される。これにより、記録用紙を確実かつ円滑に再給紙することが可能となる。
【符号の説明】
【００９１】
１００・・・複合機
１０４・・・プリンタ部
１１０・・・用紙カセット（収容部）
１１０Ａ・・・底板（載置部）
１１０Ｂ・・・後板
１１０Ｃ、Ｄ・・・側板
１１１・・・凹部（凹部）
１１１Ａ・・・下り傾斜部
１１１Ｂ・・・上り傾斜部（第２回動部）
１１１Ｃ・・・底部
１１４・・・給紙部
１１６・・・給紙ローラ（給送ローラ）
１１７・・・回転軸
１１８・・・支持アーム（支持アーム）
１１８Ａ・・・先端部
１１８Ｂ・・・側端部
１２０・・・アーム回動軸（第１回動軸）
１３０・・・記録部（記録部）
１４０・・・スイッチバック部（スイッチバック部）
１５８・・・主搬送部
１６０・・・搬送路
１６０Ａ・・・湾曲路
１６０Ｂ・・・排紙路
１６０Ｃ・・・記録路
１６１・・・反転搬送部
１６２・・・反転搬送路
１６２Ａ・・・傾斜路
１６２Ｂ・・・直線路
１６４・・・湾曲ガイド（給送ガイド）
１６４Ａ・・・ガイド面
１６６・・・下側ガイド
１６６Ｂ・・・支持面
１６８・・・上側傾斜ガイド（再給送ガイド）
１７０・・・下側傾斜ガイド（再給送ガイド）
１７２・・・直線ガイド（再給送ガイド）
１７４・・・貫通孔（貫通孔）
１７４Ａ・・・側端部
１７６・・・ガイド回動軸（第２回動軸）
１７８・・・回動ガイド（再給送ガイド）
１８８・・・スイッチバックローラ
１９０・・・拍車ローラ
１９１・・・スイッチバックローラ対（スイッチバック部）
１９６・・・従動ローラ（従動ローラ）
１９８・・・支持ホルダ（支持ホルダ）
２００・・・ホルダ回動軸（第３回動軸）
２１２・・・フラッパ（スイッチバック部）
２１２Ａ・・・基端部
２１２Ｂ・・・延出端部
【図１】
2010228330.tif 000003
【図２】
2010228330.tif 000004
【図３】
2010228330.tif 000005
【図４】
2010228330.tif 000006
【図５】
2010228330.tif 000007
【図６】
2010228330.tif 000008
【図７】
2010228330.tif 000009